(57)【要約】      （修正有）【課題】地震や火災などの災害の発生時に釘や割れたガラス片を踏み抜いて切創するといった危険を回避することのできるルームシューズを提供する。【解決手段】足底部１０に甲帯部３０と踵掛かり部４０とが設けられてなる。足底部１０がポリエステル繊維の生地でなる踏抜き防止層を内包する。踏抜き防止層はポリエステル繊維生地の積層体でなる。踵掛かり部４０を袋状素材により形成し、この踵掛かり部４０の開口縁部４４にゴム紐４５を設ける。甲帯部３０と踵掛かり部４０とを、足首を除く足の略全体を包み込む形状に形作る。【選択図】図１
0003224042.tif 000002
【実用新案登録請求の範囲】
【請求項１】
足底部に甲帯部と踵掛かり部とが設けられてなるルームシューズであって、
足底部にポリエステル繊維の生地でなる踏抜き防止層が内包されていることを特徴とするルームシューズ。
【請求項２】
上記踏抜き防止層が、上記足底部の略全域に亘る大きさを有して折れ曲がり可能なポリエステル繊維生地の積層体でなる請求項１に記載したルームシューズ。
【請求項３】
上記踵掛かり部が、上記甲帯部の後端縁と上記足底部の後端縁とに連設されて足の踵を包み込む柔軟性を有する袋状素材により形成されていると共に、この踵掛かり部に、当該踵掛かり部の開口縁部を絞り込んでこの開口縁部を上記足底部に接近させる弾力性が付与されている請求項１又は請求項２に記載したルームシューズ。
【請求項４】
上記踵掛かり部の開口縁部にゴム紐が装備され、このゴム紐の弾性収縮力が上記開口縁部を上記足底部に接近させる弾力性を発揮するように構成されている請求項３に記載したルームシューズ。
【請求項５】
上記甲帯部と上記踵掛かり部とが、当該ルームシューズの着用時に足首を除く足の略全体を包み込む形状に形作られている請求項１ないし請求項４のいずれか１項に記載したルームシューズ。
【考案の詳細な説明】
【技術分野】
【０００１】
本考案は、ルームシューズ、特に、室内でスリッパやシューズの形態で便利に使用することができるだけでなく、災害発生時の危険を回避するための対策が講じられたルームシューズに関する。
【背景技術】
【０００２】
室内履きなどに利用される履き物には、足底部の前部に甲帯部を設けてなる所謂スリッパや、スリッパの形状を基本として足底部の後部に踵掛かり部を追加して設けてなるルームシューズなどが広く知られている。そして、スリッパは、甲帯部に足を突っ込んだり甲帯部から足を抜き出すだけで容易に短時間で着脱することができる。これに対し、ルームシューズは、甲帯部に足を突っ込んで踵掛かり部に踵を嵌めたり、踵掛かり部や甲帯部からから踵を抜き出すことによって着脱され、着用時には甲帯部と踵掛かり部とによって足底部が足にしっかりと装着されるので安定した着用感が得られて活動しやすい。
【０００３】
ところで、先行例では、地震や火災が発生した非常時に室内や室外で移動する際に、釘や割れたガラス片などが足に突き刺さるという危険を回避するための対策が講じられた防災スリッパが提案されている（特許文献１参照）。特許文献１には、防災スリッパの足甲被覆部を有する底部に硬質防護板が内有されていて、この硬質防護板によって、釘や割れたガラス片が底部を突き抜けて足裏に刺さるのを防止しており、この硬質防護板には、ポリカーボネートからなる樹脂製防護板や金属板を使用することができる、旨の記載がある。さらに、特許文献１には、上記底部を有するスリッパ本体部に伸縮自在の係止バンドを設けることが記載されていて、平常使用時には、係止バンドを折り畳んでスリッパ本体部に固定しておくことができ、非常時には、係止バンドを足の踵や足首に巻き付けてスリッパを足にしっかりと固定することができる、とされている。また、他の先行例には、足底部に足甲部と足側部を設けた室内履き具が提案されている（特許文献２参照）。特許文献２によると、足側部が立体的な形状を備えている旨の記載があり、このことから、着用時に足の踵を覆う足側部が、非着用時にも足底部から立ち上がった形状を保っているものと考えられる。
【先行技術文献】
【特許文献】
【０００４】
【特許文献１】特開２０１４−３０５９７号公報
【特許文献２】特開２０１９−９７９６３号公報
【考案の概要】
【考案が解決しようとする課題】
【０００５】
しかしながら、特許文献１に記載されている防災スリッパは、釘や割れたガラス片が底部を突き抜けて足裏に刺さるのを防止するために、足甲被覆部を有する底部にポリカーボネートからなる樹脂製防護板や金属板でなる硬質防護板を内有させているので、この硬質防護板によって底部の自由変形が阻害されやすく、そのために地震や火災などの非常時に活動の自由が損なわれるおそれがある。また、硬質防護板が割れてしまうおそれがあり、硬質防護板が割れてしまうと、釘や割れたガラス片が底部を突き抜けて足裏に刺さるのを防止することができなくなる。
【０００６】
特許文献２に記載されている室内履き具は、着用時に踵を覆う足側部が、非着用時にも足底部から立ち上がった形状を保っているものと考えられるために、足甲部に足を突っ込むだけでスリッパとして着用するという使い方ができないという不便がある。
【０００７】
本考案は、以上の状況の下でなされたものであり、地震や火災などの災害の発生時に釘や割れたガラス片を踏み抜いて切創するといった危険を顕著に回避することができるものでありながら、足底部が自由に変形して活動の自由度が妨げられないルームシューズを提供することを目的とする。
【０００８】
また、本考案は、足底部に甲帯部と踵掛かり部とが設けられてなるルームシューズでありながら、甲帯部に足を突っ込むだけでスリッパとして着用することが可能であり、スリッパとして着用するときには踵掛かり部をわざわざ足底部に固定するといった手間をかける必要がなく、しかも、ルームシューズとして着用するときには、容易にかつ短時間で踵掛かり部を足の踵に引っ掛けることのできるルームシューズを提供することを目的とする。
【０００９】
さらに、本考案は、足底部の変形性を活用してコンパクトに折り畳むことのできるルームシューズを提供することを目的とする。
【課題を解決するための手段】
【００１０】
本考案に係るルームシューズは、足底部に甲帯部と踵掛かり部とが設けられてなるルームシューズであって、足底部にポリエステル繊維の生地でなる踏抜き防止層が内包されている、というものである。
【００１１】
この構成を有するルームシューズによれば、釘やガラス片が足底部を突き抜けるという事態が、足底部に内包されている踏抜き防止層によって抑制される。また、踏抜き防止層をポリエステル繊維の生地で構成したために、足底部の変形性が極端に阻害されたり軽量性が阻害されたりすることがなく、着用状態での活動の自由度が損なわれにくくなり、コンパクトに折り畳むことも容易に可能である。
【００１２】
本考案では、上記踏抜き防止層が、上記足底部の略全域に亘る大きさを有して折れ曲がり可能なポリエステル繊維生地の積層体でなることが望ましい。この構成を採用すると、着用した足全体が切創から防護されるのみならず、ポリエステル繊維生地の積層体がクッション性を発揮してそれだけ着用感も向上する。また、上記同様に、着用状態での活動の自由度が損なわれにくくなり、コンパクトに折り畳むことも容易に可能である。
【００１３】
本考案では、上記踵掛かり部が、上記甲帯部の後端縁と上記足底部の後端縁とに連設されて足の踵を包み込む柔軟性を有する袋状素材により形成されていると共に、この踵掛かり部に、当該踵掛かり部の開口縁部を絞り込んでこの開口縁部を上記足底部に接近させる弾力性が付与されている、という構成を採用することが望ましい。この構成を採用すると、非着用時には、袋状素材により形成された踵掛かり部の開口縁部が、踵掛かり部に付与されている弾力性によって足底部に接近しているので、使用者が甲帯部に足を突っ込むだけで踵掛かり部が足の踵の下に敷かれる。そのため、使用者が甲帯部に足を突っ込むだけでスリッパとして着用することが可能である。また、ルームシューズとして着用するときには、使用者が甲帯部に足を突っ込んだ後に手の指先で踵掛かり部の開口縁部を引っ掛けて持ち上げ、足の踵にその踵掛かり部を引っ掛けるだけで済む。
【００１４】
本考案では、上記踵掛かり部の開口縁部にゴム紐が装備され、このゴム紐の弾性収縮力が上記開口縁部を上記足底部に接近させる弾力性を発揮するように構成することが可能であり、これによれば、踵掛かり部の開口縁部に容易に弾力性を付与することができる。
【００１５】
本考案では、上記甲帯部と上記踵掛かり部とが、当該ルームシューズの着用時に足首を除く足の略全体を包み込む形状に形作られていることが望ましく、これによれば、地震や火災などの非常時に足の広い範囲を切創から防護させることが可能になる。
【考案の効果】
【００１６】
以上のように、本考案に係るルームシューズによれば、地震や火災などの災害の発生時に釘や割れたガラス片を踏み抜いて足を切創するといった危険が顕著に回避されるだけでなく、着用時に足底部が自由に変形して活動の自由度が妨げられないので敏速な歩行を無理なく行える。また、踵掛かり部をわざわざ足底部に固定するといった手間をかけずに、甲帯部に足を突っ込むだけでスリッパとして着用することが可能になるという利便性もある。さらに、足底部の変形性を活用してコンパクトに折り畳むことが可能であるので、折り畳んだ状態で保管したり衣服のポケットに入れて持ち歩くことができるようになるという利点もある。
【図面の簡単な説明】
【００１７】
【図１】本考案の実施形態に係るルームシューズの概略平面図である。
【図２】同ルームシューズの概略底面図である。
【図３】図１のＩＩＩ−ＩＩＩ線に沿う部分の概略断面図である。
【図４】ルームシューズの使用状態を例示した概略斜視図である。
【図５】ルームシューズの他の使用状態を例示した概略斜視図である。
【図６】折り畳み形態を例示した概略説明図である。
【図７】他の折り畳み形態を例示した概略説明図である。
【考案を実施するための形態】
【００１８】
図１は本考案の実施形態に係るルームシューズの概略平面図、図２は同ルームシューズの概略底面図、図３は図１のＩＩＩ−ＩＩＩ線に沿う部分の概略断面図である。
【００１９】
図１〜図３を併せ見ることによって判るように、このルームシューズは、足底部１０に甲帯部３０と踵掛かり部４０とが設けられてなる。
【００２０】
図３に示したように、足底部１０は、裏地１１と表地１２との間に、クッション層１３と踏抜き防止層１４とが介在された多層構造を備えている。そして、裏地１１には、柔らかいスウェード調のポリエステル生地が用いられている。表地１２には、起毛した肌触りのよいポリエステル生地が用いられている。また、クッション層１３には、クッション性に優れたポリウレタンスポンジが用いられている。さらに、踏抜き防止層１４は折れ曲がり可能なポリエステル繊維の織布生地又は不織布生地の積層体からなり、２層以上のポリエステル繊維の生地間が接着剤で接合されてポリエステル繊維の生地が積層されている。この実施形態では、図２に示したように踏抜き防止層１４が足底部１０の略全域に亘る大きさを有している。
【００２１】
図３に示したように、甲帯部３０は２層構造になっていて、表地３１にはポリエチレンテレフタラートとポリウレタンの混合繊維生地が用いられ、裏地３２には、上記した足底部１０の表地１２と一体のポリエステル生地が用いられている。さらに、図１及び図２に示した踵掛かり部４０は、柔軟で肌触りのよい袋状素材により形成されている。この踵掛かり部４０は、左右の前端縁４１，４２が甲帯部３０の左右の後端縁３３，３４に連設されていると共に、湾曲した後端縁４３が足底部１０の湾曲状の後端縁１５に連接されている。そして、踵掛かり部４０の前端耳部によって形成されている開口縁部４４にゴム紐４５が装備されていて、このゴム紐４５の弾性収縮力により上記開口縁部４４が絞り込まれている。このようにゴム紐４５の弾性収縮力により上記開口縁部４４が絞り込まれていると、上記開口縁部４４が足底部１０に接近し、それに伴って袋状の踵掛かり部４０の全体も足底部１０に接近した状態になる。したがって、ゴム紐４５の弾性収縮力が、踵掛かり部４０の開口縁部４４を足底部１０に接近させる作用を発揮していることになる。
【００２２】
上記したルームシューズにおいて、甲帯部３０は足底部１０の前半外縁部に縫着され、踵掛かり部４０は足底部１０の後半外縁部と甲帯部３０の後端縁３３，３４とに縫着されている。なお、この点は、縫着に代えて接着剤を用いる接着によってもよい。
【００２３】
図４はルームシューズの使用状態を例示した概略斜視図、図５はルームシューズの他の使用状態を例示した概略斜視図である。
【００２４】
上記ルームシューズは、図４に示したように室内履きとしての所謂スリッパとして利用することも、図５に示したように室内履きとしての本来の使用形態であるシューズとして利用することも可能である。
【００２５】
ルームシューズをスリッパとして利用するときには、図４のように足１００の指先から甲に至る部分ｍ１を甲帯部３０に突っ込む。このようにすると、踵掛かり部４０の開口縁部４４が、ゴム紐４５（図１参照）の弾性収縮力によって足底部１０に接近した状態になっているために、足１００の指先から甲に至る部分ｍ１を甲帯部３０に突っ込むだけで、踵掛かり部４０が踵ｍ２により踏みつけられて踵ｍ２の下に自然に敷かれるようになる。
【００２６】
ルームシューズを本来のシューズとして利用するときには、図５に示したように足１００の指先から甲に至る部分ｍ１を甲帯部３０に突っ込み、踵掛かり部４０を手の指先で引き上げて踵ｍ２の後側に廻して引っ掛けるようにする。このようにすると、甲帯部３０と踵掛かり部４０とにより足１００の指先から甲に至る部分ｍ１や踵ｍ２が保持されて足底部１０が足全体にしっかりと装着される。
【００２７】
図４や図５に示した使用状態では、図３に示した足底部１０のクッション層１３によってクッション性が発揮され、表地１２の柔らかい起毛した肌触りのよいポリエステル生地によって心地よい肌触り感が発揮されることにより良好な使用感が得られる。
【００２８】
この実施形態に係るルームシューズは、足底部１０に折れ曲がり可能なポリエステル繊維の生地の積層体でなる踏抜き防止層１４が内包されているために、釘やガラス片を踏みつけたとしても、釘やガラス片が踏抜き防止層１４に当たるために足底部１０を突き破ってしまうという事が起こらず、足１００を傷付けたり切創したりするという事態が起こりにくい。また、踏抜き防止層１４自体が割れるという事態も起こらないので、踏抜き防止層１４が割れて踏抜き防止作用が損なわれることもない。しかも、ルームシューズが、甲帯部３０と踵掛かり部４０とが足首を除く足１００の指先や甲、踵といった足の略全体を包み込むために、地震や火災などの非常時に足の広い範囲を切創から防護させることが可能になる。
【００２９】
ところで、ポリエステル繊維の生地は軽量で、折畳みが可能になる程度の高い変形自由度を有している。したがって、足底部１０に踏抜き防止層１４が内包されているとしても、ルームシューズの軽量化が損なわれず、ルームシューズを着用した状態での活動の自由度も損なわれにくい。また、ポリエステル繊維の生地でなる踏抜き防止層１４の高い変形自由度を利用すると、ルームシューズを容易にコンパクトに折り畳むことが可能になる。
【００３０】
図６は折り畳み形態を例示した概略説明図、図７は他の折り畳み形態を例示した概略説明図である。図６の折り畳み形態は、足底部１０の前後方向中間部を内向きに折り曲げて甲帯部３０の上に踵掛かり部４０を重ね合わせた形態を示している。また、図６の折り畳み形態は、足底部１０の前後方向中間部を内向きに折り曲げ、足底部１０の前端部と甲帯部３０の前端部とを踵掛かり部４０の内側に差し込んだ形態を示している。図６及び図７に示したようにルームシューズをコンパクトに折り畳むと、ルームシューズを衣服のポケットに入れて持ち歩いたりするのに便利である。特に、図７に示した折畳み形態を採用しておくと、足底部１０が不慮に開いたりすることがなくなるという利点がある。
【００３１】
この実施形態では、踵掛かり部４０の開口縁部４４にゴム紐４５を装備させることによって、ゴム紐４５の弾性収縮力が開口縁部４４を足底部１０に接近させる弾力性を発揮するように構成したけれども、この点は、たとえば、踵掛かり部４０に伸縮性を有する生地を用いて踵掛かり部４０の開口縁部４４を絞り込ませ、そうすることによって、踵掛かり部４０に、開口縁部４４を足底部１０に接近させる弾力性を付与することもできる。
【符号の説明】
【００３２】
１０  足底部
１４  踏抜き防止層
１５  足底部の後端縁
３０  甲帯部
３３，３４  甲帯部の後端縁
４０  踵掛かり部
４４  踵掛かり部の開口縁部
４５  ゴム紐
１００  足
ｍ２  足の踵
【図１】
0003224042.tif 000003
【図２】
0003224042.tif 000004
【図３】
0003224042.tif 000005
【図４】
0003224042.tif 000006
【図５】
0003224042.tif 000007
【図６】
0003224042.tif 000008
【図７】
0003224042.tif 000009